(57)【特許請求の範囲】
【請求項１】
トッププレートと、前記トッププレート上に載置した被加熱物を加熱する加熱部と、前記加熱部の火力を設定する複数の火力設定手段と、前記火力設定手段を一定時間継続して押下した場合に異常検知する異常検知手段とを有し、前記異常検知手段は、一の前記火力設定手段に入力がされている場合に、一の前記火力設定手段、一の前記火力設定手段で設定した火力の次に小さな火力を設定できる火力設定手段および一の前記火力設定手段で設定した火力の次に大きな火力を設定できる火力設定手段とに異常を検知すると異常であると判断し、一の前記火力設定手段、一の前記火力設定手段で設定した火力の次に小さな火力を設定できる火力設定手段および一の前記火力設定手段で設定した火力の次に大きな火力を設定できる火力設定手段以外の前記火力設定手段に異常を検知しても異常でないと判断することを特徴とする加熱調理器。
【請求項２】
異常検知手段が異常であると判断した場合には、前記加熱調理器の入力を無効とする請求項１記載の加熱調理器。
【請求項３】
異常検知手段が異常でないと判断した場合には、前記加熱調理器の入力を有効とする請求項１または２記載の加熱調理器。
【請求項４】
火力設定手段は、前記加熱調理器の天面に配する構成とした請求項１〜３のいずれか１項に記載の加熱調理器。
【請求項５】
一の前記火力設定手段で設定した火力の次に小さな火力を設定できる火力設定手段と、一の前記火力設定手段で設定した火力の次に大きな火力を設定できる火力設定手段とは、一の前記火力設定手段の前後に配置されていることを特徴とする請求項１〜４のいずれか１項に記載の加熱調理器。
【請求項６】
各火力設定手段に対応する各火力表示手段を設け、一の前記火力設定手段に入力がされている場合には、一の前記火力設定手段に対応する前記各火力表示手段を点灯させ、一の前記火力設定手段で設定した火力の次に小さな火力を設定できる火力設定手段に対応する前記火力表示手段および一の前記火力設定手段で設定した火力の次に大きな火力を設定できる火力設定手段に対応する前記火力表示手段を点滅させ、残りの前記火力表示手段は消灯することを特徴とする請求項１〜５のいずれか１項に記載の加熱調理器。
【請求項７】
火力設定手段は、天面に配する静電容量検知式タッチパネルキーの構成とした請求項１〜６のいずれか１項に記載の加熱調理器。
【請求項８】
加熱部は、誘導加熱手段を設けた請求項１〜７のいずれか１項に記載の加熱調理器。
【発明の詳細な説明】
【技術分野】
【０００１】
本発明は、一般家庭のキッチンや業務用等に用いられる加熱調理器に関するものである。
【背景技術】
【０００２】
従来、この種の加熱調理器、特に、誘導加熱調理器は安全・清潔・高効率という優れた特徴が認知され、広く普及している。そして、機器の上面にあたるトッププレートに静電容量検知式のタッチキーを設けて調理使用の操作性を向上させ、例えば、タッチキー上に鍋が置かれる、または鍋内の水がふきこぼれる等でタッチキーが一定時間以上継続して押下されると、異常検知して加熱を停止し、かつタッチキーの受け付けを禁止して機器の安全性をはかったものがある（例えば、特許文献１参照）。
【特許文献１】特開２００３−２７９０５５号公報
【発明の開示】
【発明が解決しようとする課題】
【０００３】
しかしながら、前記従来の構成では、異常を検知すると、全てのタッチキーを受け付け禁止にしてしまうため、異常検知の頻度が高くなり使い勝手が悪いという課題を有していた。
【０００４】
本発明は、前記従来の課題を解決するもので、キー異常が生じても使い勝手の向上を効果的に図ることができる加熱調理器を提供することを目的とする。
【課題を解決するための手段】
【０００５】
前記従来の課題を解決するために、本発明の加熱調理器は、トッププレートと、前記トッププレート上に載置した被加熱物を加熱する加熱部と、前記加熱部の火力を設定する複数の火力設定手段と、前記火力設定手段を一定時間継続して押下した場合に異常検知する異常検知手段とを有し、前記異常検知手段は、一の前記火力設定手段に入力がされている場合に、一の前記火力設定手段、一の前記火力設定手段で設定した火力の次に小さな火力を設定できる火力設定手段および一の前記火力設定手段で設定した火力の次に大きな火力を設定できる火力設定手段とに異常を検知すると異常であると判断し、一の前記火力設定手段、一の前記火力設定手段で設定した火力の次に小さな火力を設定できる火力設定手段および一の前記火力設定手段で設定した火力の次に大きな火力を設定できる火力設定手段以外の前記火力設定手段に異常を検知しても異常でないと判断するようにしたものである。
【０００６】
これによって、火力設定手段（タッチキー）の異常が生じても、使い勝手の向上を効果的に図ることができる。
【発明の効果】
【０００７】
本発明の加熱調理器は、使用者に対して使い勝手の向上を効果的に図ることができる。
【発明を実施するための最良の形態】
【０００８】
第１の発明は、トッププレートと、前記トッププレート上に載置した被加熱物を加熱する加熱部と、前記加熱部の火力を設定する複数の火力設定手段と、前記火力設定手段を一定時間継続して押下した場合に異常検知する異常検知手段とを有し、前記異常検知手段は、一の前記火力設定手段に入力がされている場合に、一の前記火力設定手段、一の前記火力設定手段で設定した火力の次に小さな火力を設定できる火力設定手段および一の前記火力設定手段で設定した火力の次に大きな火力を設定できる火力設定手段とに異常を検知すると異常であると判断し、一の前記火力設定手段、一の前記火力設定手段で設定した火力の次に小さな火力を設定できる火力設定手段および一の前記火力設定手段で設定した火力の次に大きな火力を設定できる火力設定手段以外の前記火力設定手段に異常を検知しても異常でないと判断するようにしたものである。これによって、火力設定手段の異常が生じても、使い勝手の向上を効果的に図ることができる。
【０００９】
第２の発明は、特に、第１の発明において、異常検知手段が異常であると判断した場合には、前記加熱調理器の入力を無効とするようにしたものである。
【００１０】
第３の発明は、特に、第１または２の発明において、異常検知手段が異常でないと判断した場合には、前記加熱調理器の入力を有効とするようにしたものである。これによって、火力設定手段の異常が生じても、使い勝手の向上を効果的に図ることができる。
【００１１】
第４の発明は、特に、第１〜３のいずれか１つの発明において、火力設定手段は、前記加熱調理器の天面に配するようにしたものである。これによって、視認性を向上させることができる。
【００１２】
第５の発明は、特に、第１〜４のいずれか１つの発明において、一の前記火力設定手段で設定した火力の次に小さな火力を設定できる火力設定手段と、一の前記火力設定手段で設定した火力の次に大きな火力を設定できる火力設定手段とは、一の前記火力設定手段の前後に配置されているようにしたものである。
【００１３】
第６の発明は、特に、第１〜５のいずれか１つの発明において、各火力設定手段に対応する各火力表示手段を設け、一の前記火力設定手段に入力がされている場合には、一の前記火力設定手段に対応する前記各火力表示手段を点灯させ、一の前記火力設定手段で設定した火力の次に小さな火力を設定できる火力設定手段に対応する前記火力表示手段および一の前記火力設定手段で設定した火力の次に大きな火力を設定できる火力設定手段に対応する前記火力表示手段を点滅させ、残りの前記火力表示手段は消灯するようにしたものである。これによって、視認性を向上させることができる。
【００１４】
第７の発明は、特に、第１〜６のいずれか１つの発明において、火力設定手段は、天面に配する静電容量検知式タッチパネルキーの構成とすることにより、キー異常時の対処を容易にすることができる。
【００１５】
第８の発明は、特に、第１〜７のいずれか１つの発明において、加熱部は、誘導加熱手段を設けることにより、使い勝手の向上を図ることができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における加熱調理器の平面図を示すものである。
【００１８】
図１において、本体１の上面は結晶化ガラスを素材としたトッププレート２の周囲をプレート枠６で囲んで覆われている。また、トッププレート２上に載置した被加熱物を加熱する誘導加熱手段の加熱部３を有し、トッププレート２を構成する部材内前部には、加熱部の火力を設定する複数の火力設定手段４が配されている。すなわち、火力設定手段４は、加熱調理器の天面に配されている。火力設定手段４は、トッププレート２に印刷された電極部を触れることで電気的容量が変化することに反応する静電容量式タッチパネルキーの構成とし、天面に凹凸がないため手入れなどの取扱いがし易い平面接触式を実現している。
【００１９】
本体１内部には、加熱部３に対応する誘導加熱手段を構成する加熱コイルが配され、加熱コイルの電源回路である通電制御回路が加熱コイルの下方に配されている。また、火力設定手段４に近接して、火力設定手段４の入力状態を示す火力表示手段５を備える。
【００２０】
火力表示手段５はＬＣＤにより入力状態などを表示するものであり、火力設定手段４ａ〜４ｇにそれぞれ対応した火力表示手段５ａ〜５ｇがあり、右側に行くほど火力が強くなるように表示してある。すなわち、一の火力設定手段で設定した火力の次に小さな火力を設定できる火力設定手段と、一の火力設定手段で設定した火力の次に大きな火力を設定できる火力設定手段とは、一の火力設定手段の前後に配置されている。
【００２１】
また、火力表示手段５にはＬＣＤ表示内容が視認しやすいようバックライトを設けてあり、火力の入り切りに連動して、ＬＣＤのバックライトが点灯および消灯する。そして、火力表示手段は（５ａ、５ｂ、５ｃ、５ｄ、５ｅ、５ｆ、５ｇ）は火力設定手段（４ａ、４ｂ、４ｃ、４ｄ、４ｅ、４ｆ、４ｇ）に対応するように設けられ、例えば、図２に示すように、一の火力設定手段（４ｄ）に入力がされている場合には、一の火力設定手段に対応する各火力表示手段（５ｄ）を点灯させ、一の火力設定手段で設定した火力の次に小さな火力を設定できる火力設定手段（４ｃ）に対応する火力表示手段（５ｃ）および一の火力設定手段で設定した火力の次に大きな火力を設定できる火力設定手段（４ｅ）に対応する火力表示手段（５ｅ）を点滅させ、残りの火力表示手段（５ａ、５ｂ、５ｆ、５ｇ）は消灯する。
【００２２】
さらに、火力設定手段４ａ〜４ｇを一定時間継続して押下した場合に異常検知する図示しない異常検知手段とを有する。
【００２３】
異常検知手段は、一の火力設定手段（例えば、４ｄ）に入力がされている場合に、一の火力設定手段、一の火力設定手段で設定した火力の次に小さな火力を設定できる火力設定手段（例えば、４ｃ）および一の火力設定手段で設定した火力の次に大きな火力を設定できる火力設定手段（例えば、４ｅ）とに異常を検知すると異常であると判断し、一の火力設定手段、一の火力設定手段で設定した火力の次に小さな火力を設定できる火力設定手段および一の火力設定手段で設定した火力の次に大きな火力を設定できる火力設定手段以外の火力設定手段（例えば、４ａ、４ｂ、４ｆ、４ｇ）に異常を検知しても異常でないと判断する。
【００２４】
そして、異常検知手段が異常であると判断した場合には、加熱調理器の入力を無効とするとともに、異常検知手段が異常でないと判断した場合には、加熱調理器の入力を有効とする。
【００２５】
以上のように構成された加熱調理器について、以下、その動作、作用を説明する。
【００２６】
まず、図示してない加熱入切キーの操作後、火力設定手段４によって火力を設定することにより加熱部３が加熱することで調理を開始する。
【００２７】
この際、例えば図３に示す場合では、一の火力設定手段（４ｅ）に入力がされているので、一の火力設定手段、一の火力設定手段で設定した火力の次に小さな火力を設定できる火力設定手段（４ｄ）および一の火力設定手段で設定した火力の次に大きな火力を設定できる火力設定手段（４ｆ）とに異常を検知すると異常であると判断し、一の火力設定手段、一の火力設定手段で設定した火力の次に小さな火力を設定できる火力設定手段および一の火力設定手段で設定した火力の次に大きな火力を設定できる火力設定手段以外の火力設定手段（例えば、４ａ、４ｂ、４ｃ、４ｇ）に異常を検知しても異常でないと判断する。
【００２８】
そして、火力設定手段４ａ、４ｂ、４ｃにはふきこぼれ、あるいは不用意な水の付着しているが、火力設定手段４ｄ、４ｅ、４ｆにはふきこぼれ、あるいは不用意な水の付着していないため、異常を検知しても、加熱状態およびキー操作に影響を与えるものではないので、異常でないと判断し、異常である旨を表示しない。そして、加熱調理器の入力を有効とし、加熱を継続し、タッチキーを受け付けても安全面を損なうことなく、使い勝手を向上させることができる。
【００２９】
また、例えば、図４に示す場合では、一の火力設定手段（４ｄ）に入力がされているので、一の火力設定手段、一の火力設定手段で設定した火力の次に小さな火力を設定できる火力設定手段（４ｃ）および一の火力設定手段で設定した火力の次に大きな火力を設定できる火力設定手段（４ｅ）とに異常を検知すると異常であると判断し、一の火力設定手段、一の火力設定手段で設定した火力の次に小さな火力を設定できる火力設定手段および一の火力設定手段で設定した火力の次に大きな火力を設定できる火力設定手段以外の火力設定手段（例えば、４ａ、４ｂ、４ｆ、４ｇ）に異常を検知しても異常でないと判断する。そして、火力設定手段４ｃにはふきこぼれ、あるいは不用意な水の付着しているため、異常を検知すると、異常であると判断し、異常である旨を表示する。さらに、加熱調理器の入力を無効としたり、加熱を中止する。
【００３０】
また、火力設定手段４を本体１の天面に配した静電容量式タッチパネルキーの構成とすることで、天面に備わるタッチパネルの不用意なキー入力時の使用勝手と安全性を高めると共に、キッチンに対するスタイリッシュな外観デザインを実現あるいは向上することができる。
【００３１】
なお、本実施の形態の代わりに、異常検知手段は、一の火力設定手段（例えば、４ｄ）に入力がされている場合に、一の火力設定手段で設定した火力の次に小さな火力を設定できる火力設定手段（例えば、４ｃ）および一の火力設定手段で設定した火力の次に大きな火力を設定できる火力設定手段（例えば、４ｅ）とに異常を検知すると異常であると判断し、一の火力設定手段で設定した火力の次に小さな火力を設定できる火力設定手段および一の火力設定手段で設定した火力の次に大きな火力を設定できる火力設定手段以外の火力設定手段（例えば、４ａ、４ｂ、４ｄ、４ｆ、４ｇ）に異常を検知しても異常でないと判断するようにしてもよい。
【産業上の利用可能性】
【００３２】
以上のように、本発明にかかる加熱調理器は、使用者に対して使い勝手の向上を効果的に図ることができるので、誘導加熱調理器や電気加熱調理器などに適用できる。
【図面の簡単な説明】
【００３３】
【図１】本発明の実施の形態１における加熱調理器の平面図
【図２】同加熱調理器における火力設定手段および火力表示手段の拡大平面図
【図３】同加熱調理器における火力設定手段に異常が認められた場合の平面図
【図４】同加熱調理器における火力設定手段に異常が認められた場合の平面図
【符号の説明】
【００３４】
１  本体
２  トッププレート
３  加熱部
４  火力設定手段
５  火力表示手段
６  プレート枠
【図１】
0004802877.tif 000002
【図２】
0004802877.tif 000003
【図３】
0004802877.tif 000004
【図４】
0004802877.tif 000005